(57)【要約】  上部ユニット（１２）の底部および下部ユニット（１４）の頂部に、上部ユニット（１２）および下部ユニット（１４）の間で紙幣の受け渡しを行うための連絡部（２９）（４２）がそれぞれ設けられている。上部ユニット（１２）の連絡部（２９）および下部ユニット（１４）の連絡部（４２）の数は同一である。また、上部ユニット（１２）または下部ユニット（１４）が反転させられたときに上部ユニット（１２）の各連絡部（２９）および下部ユニット（１４）の各連絡部（４２）の位置が一致するようになっている。
2016129299.tif 000002
【特許請求の範囲】
【請求項１】
紙葉類を受け入れる受入部および紙葉類を投出する投出部のうち少なくともいずれか一方、ならびに紙葉類を搬送するための搬送部を有する上部ユニットと、  紙葉類が収納される収納部を有し、内部にアクセス可能となっている下部ユニットと、  を備え、  前記上部ユニットの底部および前記下部ユニットの頂部に、前記上部ユニットおよび前記下部ユニットの間で紙葉類の受け渡しを行うための連絡部がそれぞれ設けられており、  前記上部ユニットの前記連絡部および前記下部ユニットの前記連絡部の数は同一であり、  前記上部ユニットまたは前記下部ユニットが反転させられたときに前記上部ユニットの前記連絡部および前記下部ユニットの前記連絡部の位置が一致するようになっている、紙葉類処理装置。
【請求項２】
前記下部ユニットは、当該下部ユニットの前後いずれか一方から内部にアクセス可能となっており、  前記上部ユニットまたは前記下部ユニットが前後に反転させられたときに、当該下部ユニットの内部にアクセス可能な方向が逆になるようになっている、請求項１記載の紙葉類処理装置。
【請求項３】
前記下部ユニットは、当該下部ユニットの左右いずれか一方から内部にアクセス可能となっており、  前記上部ユニットまたは前記下部ユニットが左右に反転させられたときに、当該下部ユニットの内部にアクセス可能な方向が逆になるようになっている、請求項１記載の紙葉類処理装置。
【請求項４】
前記上部ユニットの前記連絡部および前記下部ユニットの前記連絡部の数はそれぞれ複数であり、  前記上部ユニットまたは前記下部ユニットが反転させられたときに前記下部ユニットの全ての前記連絡部の位置が前記上部ユニットの各前記連絡部の位置に一致するようになっている、請求項１乃至３のいずれか一項に記載の紙葉類処理装置。
【請求項５】
前記上部ユニットの各前記連絡部は、当該上部ユニットの前後方向における略中央位置に対して対称となるよう配置されている、請求項４記載の紙葉類処理装置。
【請求項６】
前記上部ユニットの各前記連絡部は、当該上部ユニットの前後方向に対して直交する方向である幅方向における略中央位置に対して対称となるよう配置されている、請求項４または５記載の紙葉類処理装置。
【請求項７】
前記下部ユニットの各前記連絡部は、当該下部ユニットの前後方向における略中央位置に対して対称となるよう配置されている、請求項４乃至６のいずれか一項に記載の紙葉類処理装置。
【請求項８】
前記下部ユニットの各前記連絡部は、当該下部ユニットの前後方向に対して直交する方向である幅方向における略中央位置に対して対称となるよう配置されている、請求項４乃至７のいずれか一項に記載の紙葉類処理装置。
【請求項９】
前記上部ユニットの前記連絡部から前記下部ユニットの前記連絡部に受け渡された紙葉類は、分岐されることなく当該下部ユニットの前記収納部に収納されるようになっている、請求項１乃至８のいずれか一項に記載の紙葉類処理装置。
【請求項１０】
前記収納部は複数設けられており、  全ての前記収納部は同一の構成となっている、請求項９記載の紙葉類処理装置。
【請求項１１】
前記収納部の数と前記連絡部の数は同一となっている、請求項９または１０記載の紙葉類処理装置。
【請求項１２】
前記下部ユニットにおいて、前記収納部は水平方向に沿って並ぶよう複数設けられている、請求項１乃至１１のいずれか一項に記載の紙葉類処理装置。
【請求項１３】
前記下部ユニットは、所定の権限を有する者のみが当該下部ユニットの内部にアクセスすることができる金庫からなり、前記連絡部は前記金庫に設けられた開口部分となっている、請求項１乃至１２のいずれか一項に記載の紙葉類処理装置。
【請求項１４】
前記上部ユニットにおいて前記受入部から受け入れた紙葉類のうち前記下部ユニットの前記収納部に収納されるべき紙葉類は前記上部ユニットの前記連絡部から前記下部ユニットの前記連絡部に受け渡され、返却されるべき紙葉類は前記投出部から外部に投出されるようになっている、請求項１乃至１３のいずれか一項に記載の紙葉類処理装置。
【請求項１５】
前記下部ユニットの底部にも前記上部ユニットの前記連絡部と同数の連絡部が設けられており、  前記下部ユニットが上下に反転させられたときに当該下部ユニットにおける前記上部ユニットに向き合う位置にある前記連絡部および前記上部ユニットの前記連絡部の位置が一致するようになっている、請求項１乃至１４のいずれか一項に記載の紙葉類処理装置。
【請求項１６】
前記下部ユニットの前面または後面には横開きの扉が設けられており、  前記下部ユニットが上下に反転させられたときに当該下部ユニットの前記扉の開く向きが逆になるようになっている、請求項１５記載の紙葉類処理装置。
【請求項１７】
前記下部ユニット内に設けられ、当該下部ユニットの各構成部材を制御する下部ユニット制御部と、  前記上部ユニット内に設けられ、当該上部ユニットの各構成部材を制御する上部ユニット制御部と、  前記下部ユニット制御部と接続される上部ユニット接続手段と、  前記上部ユニット制御部と接続される２つの下部ユニット接続手段と、  前記上部ユニット制御部と前記下部ユニット制御部とを接続する際に前記上部ユニット接続手段が２つの前記下部ユニット接続手段のうちどちらに接続されたかを検知する第１検知手段と、  前記第１検知手段による検知結果に基づいて前記上部ユニットに対する前記下部ユニットの向きを判断する第１判断手段と、  を更に備えた、請求項１乃至１６のいずれか一項に記載の紙葉類処理装置。
【請求項１８】
表示部を更に備え、  前記第１判断手段による判断結果に基づいて、前記表示部における表示内容が切り替えられるようになっている、請求項１７記載の紙葉類処理装置。
【請求項１９】
前記下部ユニット内に設けられ、当該下部ユニットの各構成部材を制御する下部ユニット制御部と、  前記上部ユニット内に設けられ、当該上部ユニットの各構成部材を制御する上部ユニット制御部と、  前記下部ユニット制御部と接続される上部ユニット接続手段と、  前記上部ユニット制御部と接続される下部ユニット接続手段と、  前記上部ユニット制御部と前記下部ユニット制御部とを接続する際に前記上部ユニット接続手段が前記下部ユニット接続手段に直接接続されたかあるいは接続補助手段を介して接続されたかを検知する第２検知手段と、  前記第２検知手段による検知結果に基づいて前記上部ユニットに対する前記下部ユニットの向きを判断する第２判断手段と、  を更に備えた、請求項１乃至１６のいずれか一項に記載の紙葉類処理装置。
【請求項２０】
表示部を更に備え、  前記第２判断手段による判断結果に基づいて、前記表示部における表示内容が切り替えられるようになっている、請求項１９記載の紙葉類処理装置。
【請求項２１】
紙葉類を受け入れる受入部および紙葉類を投出する投出部のうち少なくともいずれか一方、ならびに紙葉類を搬送するための搬送部を有する上部ユニットと、  紙葉類が収納される収納部を有し、内部にアクセス可能となっている下部ユニットと、  を備え、  前記上部ユニットの底部、ならびに前記下部ユニットの頂部および底部に、前記上部ユニットおよび前記下部ユニットの間で紙葉類の受け渡しを行うための連絡部がそれぞれ設けられており、  前記上部ユニットの前記連絡部、前記下部ユニットの頂部に設けられた前記連絡部および前記下部ユニットの底部に設けられた前記連絡部の数は同一であり、  前記下部ユニットが上下に反転させられたときに当該下部ユニットにおける前記上部ユニットに向き合う位置にある前記連絡部および前記上部ユニットの前記連絡部の位置が一致するようになっている、紙葉類処理装置。
【請求項２２】
前記下部ユニットの前面または後面には横開きの扉が設けられており、  前記下部ユニットが上下に反転させられたときに当該下部ユニットの前記扉の開く向きが逆になるようになっている、請求項２１記載の紙葉類処理装置。
【発明の詳細な説明】
【技術分野】
【０００１】  本発明は、紙葉類の処理を行う紙葉類処理装置に関する。
【背景技術】
【０００２】  金融機関等に設置されるテラーマシンやＡＴＭ（現金自動預け払い機）等の現金自動取引装置として、従来から様々なタイプの紙幣入出金装置が用いられるようになっている。このような現金自動取引装置として用いられる紙幣入出金装置では、紙幣の入金処理や出金処理等の操作を行うための接客部と、紙幣を収納するとともに装置本体に対する紙幣の供給や回収を行う金庫とが上下に並ぶよう配置されている。ここで、紙幣入出金装置として、当該紙幣入出金装置の設置場所の状態により、接客部と同じ側から金融機関等の係員が金庫の操作を行うような前面運用タイプ、および接客部と反対側から当該係員が金庫の操作を行うような後面運用タイプからなる２種類のものが必要とされる場合がある。【０００３】  このような要望に応えるため、特開平５−３４２４５７号公報（ＪＰ０５−３４２４５７Ａ）には、紙幣の預け入れおよび払い戻しが行われる接客部を筐体の前面側および後面側にそれぞれ配設するとともに、紙幣を収納するとともに装置本体に対する紙幣の供給や回収を行う金庫を筐体の前面側または後面側の何れか一方に配設するような紙幣処理装置が開示されている。このような紙幣処理装置では、１つの装置で前面運用タイプおよび後面運用タイプの何れにも用いることができるという利点がある。しかしながら、特開平５−３４２４５７号公報に開示される紙幣処理装置は接客部を筐体の前面側および後面側にそれぞれ配設する必要があるため、紙幣処理装置が大型化するとともに製造コストが高くなってしまうという問題がある。【０００４】  また、特開平５−３４２４４８号公報（ＪＰ０５−３４２４４８Ａ）や実用新案登録公報第２５７１４１０号（ＪＰ２５７１４１０Ｙ）には、上部ユニットに１つの接客部を設けるとともに下部ユニットに金庫を設け、下部ユニットに対して上部ユニットを前後方向に反転可能とするような紙幣処理装置が開示されている。このような紙幣処理装置では、下部ユニットに対して上部ユニットを前後方向に反転させることにより、１つの装置で前面運用タイプおよび後面運用タイプの何れにも用いることができるという利点がある。しかしながら、特開平５−３４２４４８号公報や実用新案登録公報第２５７１４１０号に開示される紙幣処理装置では、上部ユニットの底部に複数の搬送路が設けられるとともに下部ユニットの頂部には１つの搬送路が設けられ、上部ユニットの底部に設けられた複数の搬送路のうちある１つの搬送路が下部ユニットの頂部に設けられた搬送路と接続されるため、上部ユニットの底部に設けられた複数の搬送路のうち他の搬送路は使用されないようになり、この搬送路は無駄となってしまうという問題がある。また、このような紙幣処理装置では、上部ユニットの底部に設けられた複数の搬送路のうち実際に使用される搬送路が上部ユニットの向きによって変わるため上部ユニットにおける紙幣の搬送動作に係る制御が複雑になってしまうという問題がある。【０００５】  また、特開２０００−１７２９４６号公報（ＪＰ２０００−１７２９４６Ａ）には、接客部が設けられた上部ユニットと、金庫が設けられた下部ユニットとの間に接続搬送部を設け、上部ユニットに対して接続搬送部および下部ユニットを前���方向に反転可能にするような紙幣入出金機が開示されている（特開２０００−１７２９４６号公報の図３９、４０参照）。このような紙幣入出金機では、上部ユニットに対して下部ユニットを前後方向に反転させることにより、１つの装置で前面運用タイプおよび後面運用タイプの何れにも用いることができるという利点がある。また、上部ユニットと下部ユニットとの間に接続搬送部を設けることにより、上部ユニットや下部ユニットにおいて無駄となる搬送路が発生しないという利点がある。しかしながら、特開２０００−１７２９４６号公報に開示される紙幣入出金機では、上部ユニットに対する下部ユニットの向きによって上部ユニットや接続搬送部における紙幣の搬送経路が変わるため紙幣の搬送動作に係る制御が複雑になってしまうという問題がある。
【発明の概要】
【０００６】  本発明は、このような点を考慮してなされたものであり、上部ユニットの底部に設けられた連絡部および下部ユニットの頂部に設けられた連絡部の数が同一であり、また、上部ユニットまたは下部ユニットが反転させられたときに上部ユニットの連絡部および下部ユニットの連絡部の位置が一致するようになっていることによって、上部ユニットや下部ユニットにおいて無駄となる搬送路が発生することなく、１つの装置で前面運用タイプおよび後面運用タイプの何れにも用いることができる紙葉類処理装置を提供することを目的とする。
【０００７】  本発明の他の目的は、下部ユニットが上下に反転させられたときに当該下部ユニットにおける上部ユニットに向き合う位置にある連絡部および上部ユニットの連絡部の位置が一致するようになっていることによって、下部ユニットの前面または後面に横開きの扉が設けられている場合において、当該下部ユニットを上下に反転させることにより１つの装置で当該扉が左に開くようなタイプおよび右に開くようなタイプの何れにも用いることができる紙葉類処理装置を提供することにある。
【０００８】  本発明の紙葉類処理装置は、紙葉類を受け入れる受入部および紙葉類を投出する投出部のうち少なくともいずれか一方、ならびに紙葉類を搬送するための搬送部を有する上部ユニットと、紙葉類が収納される収納部を有し、内部にアクセス可能となっている下部ユニットと、を備え、前記上部ユニットの底部および前記下部ユニットの頂部に、前記上部ユニットおよび前記下部ユニットの間で紙葉類の受け渡しを行うための連絡部がそれぞれ設けられており、前記上部ユニットの前記連絡部および前記下部ユニットの前記連絡部の数は同一であり、前記上部ユニットまたは前記下部ユニットが反転させられたときに前記上部ユニットの前記連絡部および前記下部ユニットの前記連絡部の位置が一致するようになっていることを特徴とする。
【０００９】  上記の紙葉類処理装置においては、前記下部ユニットは、当該下部ユニットの前後いずれか一方から内部にアクセス可能となっており、前記上部ユニットまたは前記下部ユニットが前後に反転させられたときに、当該下部ユニットの内部にアクセス可能な方向が逆になるようになっていてもよい。ここで、前記上部ユニットまたは前記下部ユニットを前後に反転させる際に、前記上部ユニットまたは前記下部ユニットの前後方向の長さにおける中心を軸としてもよいし、あるいは一番前にある前記連絡部の位置と一番後ろにある前記連絡部の位置との間の中心を軸としてもよい。このように、前記上部ユニットまたは前記下部ユニットを前後に反転させたときに前記連絡部が一致するような軸であればどこでもよい。
【００１０】  あるいは、前記下部ユニットは、当該下部ユニットの左右いずれか一方から内部にアクセス可能となっており、前記上部ユニットまたは前記下部ユニットが左右に反転させられたときに、当該下部ユニットの内部にアクセス可能な方向が逆になるようになっていてもよい。ここで、前記上部ユニットまたは前記下部ユニットを左右に反転させる際に、前記上部ユニットまたは前記下部ユニットの左右方向の長さにおける中心を軸としてもよいし、あるいは一番右側にある前記連絡部の位置と一番左側にある前記連絡部の位置との間の中心を軸としてもよい。このように、前記上部ユニットまたは前記下部ユニットを左右に反転させたときに前記連絡部が一致するような軸であればどこでもよい。
【００１１】  上記の紙葉類処理装置においては、前記上部ユニットの前記連絡部および前記下部ユニットの前記連絡部の数はそれぞれ複数であり、前記上部ユニットまたは前記下部ユニットが反転させられたときに前記下部ユニットの全ての前記連絡部の位置が前記上部ユニットの各前記連絡部の位置に一致するようになっていてもよい。
【００１２】  この場合、前記上部ユニットの各前記連絡部は、当該上部ユニットの前後方向における略中央位置に対して対称となるよう配置されていてもよい。
【００１３】  また、前記上部ユニットの各前記連絡部は、当該上部ユニットの前後方向に対して直交する方向である幅方向における略中央位置に対して対称となるよう配置されていてもよい。
【００１４】  また、前記下部ユニットの各前記連絡部は、当該下部ユニットの前後方向における略中央位置に対して対称となるよう配置されていてもよい。
【００１５】  また、前記下部ユニットの各前記連絡部は、当該下部ユニットの前後方向に対して直交する方向である幅方向における略中央位置に対して対称となるよう配置されていてもよい。
【００１６】  上記の紙葉類処理装置においては、前記上部ユニットの前記連絡部から前記下部ユニットの前記連絡部に受け渡された紙葉類は、分岐されることなく当該下部ユニットの前記収納部に収納されるようになっていてもよい。
【００１７】  この場合、前記収納部は複数設けられており、全ての前記収納部は同一の構成となっていてもよい。さらに、前記収納部は偶数個であってもよいし奇数個であってもよい。
【００１８】  また、前記収納部の数と前記連絡部の数は同一となっていてもよい。
【００１９】  上記の紙葉類処理装置においては、前記下部ユニットにおいて、前記収納部は水平方向に沿って少なくとも１以上の列で並ぶよう複数設けられていてもよい。
【００２０】  上記の紙葉類処理装置においては、前記下部ユニットは、所定の権限を有する者のみが当該下部ユニットの内部にアクセスすることができる金庫からなり、前記連絡部は前記金庫に設けられた開口部分となっていてもよい。
【００２１】  上記の紙葉類処理装置においては、前記上部ユニットにおいて前記受入部から受け入れた紙葉類のうち前記下部ユニットの前記収納部に収納されるべき紙葉類は前記上部ユニットの前記連絡部から前記下部ユニットの前記連絡部に受け渡され、返却されるべき紙葉類は前記投出部から外部に投出されるようになっていてもよい。
【００２２】  上記の紙葉類処理装置においては、前記下部ユニットの底部にも前記上部ユニットの前記連絡部と同数の連絡部が設けられており、前記下部ユニットが上下に反転させられたときに当該下部ユニットにおける前記上部ユニットに向き合う位置にある前記連絡部および前記上部ユニットの前記連絡部の位置が一致するようになっていてもよい。
【００２３】  この場合、前記下部ユニットの前面または後面には横開きの扉が設けられており、前記下部ユニットが上下に反転させられたときに当該下部ユニットの前記扉の開く向きが逆になるようになっていてもよい。
【００２４】  上記の紙葉類処理装置は、前記下部ユニット内に設けられ、当該下部ユニットの各構成部材を制御する下部ユニット制御部と、前記上部ユニット内に設けられ、当該上部ユニットの各構成部材を制御する上部ユニット制御部と、前記下部ユニット制御部と接続される上部ユニット接続手段と、前記上部ユニット制御部と接続される２つの下部ユニット接続手段と、前記上部ユニット制御部と前記下部ユニット制御部とを接続する際に前記上部ユニット接続手段が２つの前記下部ユニット接続手段のうちどちらに接続されたかを検知する第１検知手段と、前記第１検知手段による検知結果に基づいて前記上部ユニットに対する前記下部ユニットの向きを判断する第１判断手段と、を更に備えていてもよい。
【００２５】  この場合には、上記の紙葉類処理装置は、表示部を更に備え、前記第１判断手段による判断結果に基づいて、前記表示部における表示内容が切り替えられるようになっていてもよい。
【００２６】  上記の紙葉類処理装置は、前記下部ユニット内に設けられ、当該下部ユニットの各構成部材を制御する下部ユニット制御部と、前記上部ユニット内に設けられ、当該上部ユニットの各構成部材を制御する上部ユニット制御部と、前記下部ユニット制御部と接続される上部ユニット接続手段と、前記上部ユニット制御部と接続される下部ユニット接続手段と、前記上部ユニット制御部と前記下部ユニット制御部とを接続する際に前記上部ユニット接続手段が前記下部ユニット接続手段に直接接続されたかあるいは接続補助手段を介して接続されたかを検知する第２検知手段と、前記第２検知手段による検知結果に基づいて前記上部ユニットに対する前記下部ユニットの向きを判断する第２判断手段と、を更に備えていてもよい。
【００２７】  この場合には、上記の紙葉類処理装置は、表示部を更に備え、前記第２判断手段による判断結果に基づいて、前記表示部における表示内容が切り替えられるようになっていてもよい。
【００２８】  本発明の紙葉類処理装置は、紙葉類を受け入れる受入部および紙葉類を投出する投出部のうち少なくともいずれか一方、ならびに紙葉類を搬送するための搬送部を有する上部ユニットと、紙葉類が収納される収納部を有し、内部にアクセス可能となっている下部ユニットと、を備え、前記上部ユニットの底部、ならびに前記下部ユニットの頂部および底部に、前記上部ユニットおよび前記下部ユニットの間で紙葉類の受け渡しを行うための連絡部がそれぞれ設けられており、前記上部ユニットの前記連絡部、前記下部ユニットの頂部に設けられた前記連絡部および前記下部ユニットの底部に設けられた前記連絡部の数は同一であり、前記下部ユニットが上下に反転させられたときに当該下部ユニットにおける前記上部ユニットに向き合う位置にある前記連絡部および前記上部ユニットの前記連絡部の位置が一致するようになっていることを特徴とする。
【００２９】  上記の紙葉類処理装置においては、前記下部ユニットの前面または後面には横開きの扉が設けられており、前記下部ユニットが上下に反転させられたときに当該下部ユニットの前記扉の開く向きが逆になるようになっていてもよい。
【図面の簡単な説明】
【００３０】
【図１】本発明の実施の形態による紙幣処理装置の構成の概略を示す概略構成図である。
【図２】図１に示す紙幣処理装置の下部ユニットを前後に反転させたときの構成の概略を示す概略構成図である。
【図３】図１等に示す紙幣処理装置における上部ユニットの各連絡部および下部ユニットの各連絡部の位置を示す説明図である。
【図４】図１等に示す紙幣処理装置における制御系の構成を示す機能ブロック図である。
【図５】本発明の実施の形態による紙幣処理装置の他の構成の概略を示す概略構成図である。
【図６】図５に示す紙幣処理装置の下部ユニットを前後に反転させたときの構成の概略を示す概略構成図である。
【図７】変形例に係る紙幣処理装置における下部ユニットの構成を示す斜視図である。
【図８】図７に示す下部ユニットを上下に反転させたときの構成を示す斜視図である。
【図９】別の変形例に係る紙幣処理装置の制御系の配線を示す図であって、（ａ）は、前面運用タイプとして用いられる際における前面側から見たときの構成を示す正面図であり、（ｂ）は、後面運用タイプとして用いられる際における前面側から見たときの構成を示す正面図である。
【図１０】図９に示す紙幣処理装置における制御系の構成を示す機能ブロック図である。
【図１１】更に別の変形例に係る紙幣処理装置の制御系の配線を示す図であって、（ａ）は、前面運用タイプとして用いられる際における前面側から見たときの構成を示す正面図であり、（ｂ）は、後面運用タイプとして用いられる際における前面側から見たときの構成を示す正面図である。
【図１２】図１０に示す紙幣処理装置における制御系の構成を示す機能ブロック図である。
【図１３】更に別の変形例に係る紙幣処理装置の構成の概略を示す概略構成図であって、（ａ）は、前面運用タイプとして用いられる際の内部構成を示す図であり、（ｂ）は、後面運用タイプとして用いられる際の内部構成を示す図である。
【発明を実施するための形態】
【００３１】  以下、図面を参照して本発明の実施の形態について説明する。図１乃至図６は、本実施の形態に係る紙幣処理装置を示す図である。このうち、図１は、本実施の形態による紙幣処理装置の構成の概略を示す概略構成図であり、図２は、図１に示す紙幣処理装置の下部ユニットを前後に反転させたときの構成の概略を示す概略構成図である。また、図３は、図１等に示す紙幣処理装置における上部ユニットの各連絡部および下部ユニットの各連絡部の位置を示す説明図である。また、図４は、図１等に示す紙幣処理装置における制御系の構成を示す機能ブロック図である。また、図５は、本実施の形態による紙幣処理装置の他の構成の概略を示す概略構成図であり、図６は、図５に示す紙幣処理装置の下部ユニットを前後に反転させたときの構成の概略を示す概略構成図である。
【００３２】  図１に示すように、本実施の形態による紙幣処理装置１０は、上下に並ぶよう配置された上部ユニット１２および下部ユニット１４を備えている。上部ユニット１２は、複数の紙幣を受け入れるホッパ等の受入部２０と、受入部２０に受け入れられた紙幣を１枚ずつ上部ユニット１２の内部に繰り出す紙幣繰出機構２２と、上部ユニット１２の内部に設けられ、紙幣繰出機構２２により受入部２０から繰り出された紙幣を搬送する搬送部２４と、搬送部２４に設けられ、当該搬送部２４により搬送される紙幣の識別を行う識別部２６と、搬送部２４に接続され、上部ユニット１２の内部から外部に紙幣を投出する投出部３０とを有している。なお、図１に示す紙幣処理装置１０において、上部ユニット１２や下部ユニット１４の左側の面（すなわち、受入部２０や投出部３０が設けられた側の面）が当該紙幣処理装置１０の前面となっており、上部ユニット１２や下部ユニット１４の右側の面が紙幣処理装置１０の後面となっている。また、図１における左右方向が紙幣処理装置１０の前後方向となり、図１の紙面に直交する方向（すなわち、図１の紙面に対する手前側や奥側に向かう方向）が紙幣処理装置１０の幅方向となる。
【００３３】  受入部２０や投出部３０は上部ユニット１２の前面に開口しており、操作者は上部ユニット１２の外部からこれらの受入部２０や投出部３０にアクセス可能となっている。このことにより、操作者は受入部２０に紙幣を載置したり投出部３０に集積されている紙幣を当該投出部３０から取り出したりすることができるようになる。
【００３４】  紙幣繰出機構２２は、受入部２０に受け入れられた複数の紙幣のうち最下層に位置する紙幣を上部ユニット１２の内部に向かって蹴り出すキッカローラと、キッカローラにより蹴り出された紙幣を上部ユニット１２の内部に１枚ずつ繰り出す繰出ローラと、繰出ローラに対向するよう設けられ、当該繰出ローラとの間で紙幣を１枚ずつに分離させるための対向ローラとを有している。紙幣繰出機構２２の繰出ローラにより受入部２０から上部ユニット１２の内部に繰り出された紙幣は搬送部２４により１枚ずつ搬送されるようになっている。
【００３５】  搬送部２４により搬送される紙幣は、識別部２６によりその金種、真偽、表裏、正損、新旧、搬送状態等が識別されるようになっている。識別部２６により正常な紙幣であると識別された紙幣は下部ユニット１４に設けられた後述する紙幣収納カセット４０に送られるようになっている。一方、識別部２６により正常な紙幣ではないと識別された紙幣はリジェクト紙幣として投出部３０に送られるようになっている。このことにより、操作者は投出部３０からリジェクト紙幣を取り出して受入部２０に再び載置することができるようになる。
【００３６】  図１に示すように、上部ユニット１２において投出部３０の奥側には、搬送部２４から投出部３０に送られる紙幣を整列させるための羽根車３２が設けられている。羽根車３２は羽根車駆動部３４（図４参照）により図１における反時計回りの方向に回転させられるようになっており、搬送部２４から羽根車３２に送られた紙幣は当該羽根車３２の２枚の羽根の間に受け入れられ、２枚の羽根の間に紙幣が受け入れられている状態で当該羽根車３２が図１における反時計回りの方向に回転することによって羽根車３２の２枚の羽根の間から放出された紙幣が投出部３０に整列された状態で集積されるようになる。
【００３７】  下部ユニット１４の内部には複数（図１に示す例では２つ）の紙幣収納カセット４０が水平方向に沿って少なくとも１以上の列で（図１に示す例では１つの列で）並ぶよう装着されるようになっている。各紙幣収納カセット４０には紙幣が積層状態で収納されるようになっている。また、各紙幣収納カセット４０には紙幣が金種毎に収納されるようになっている。また、上部ユニット１２の搬送部２４には、各紙幣収納カセット４０に対応して複数の分岐部２８が設けられており、識別部２６により正常な紙幣であると識別された紙幣は、当該識別部２６の下流側で搬送部２４により搬送される際に各分岐部２８によってこの搬送部２４から分岐させられて各紙幣収納カセット４０に例えば金種毎に送られるようになる。より詳細には、上部ユニット１２の底部および下部ユニット１４の頂部に、上部ユニット１２および下部ユニット１４の間で紙幣の受け渡しを行うための連絡部２９、４２がそれぞれ設けられており、搬送部２４から分岐部２８により分岐させられた紙幣は各連絡部２９、４２を通って紙幣収納カセット４０に送られるようになっている。このような各連絡部２９、４２の構成の詳細については後述する。
【００３８】  下部ユニット１４の前面には横開きの扉１８が設けられており、この扉１８には取っ手１６が設けられている。また、扉１８には錠機構（図示せず）が設けられており、所定の権限を有する操作者（例えば、金融機関等の係員）のみが特定の鍵によりこの錠機構を開いて扉１８を開けることができるようになっている。下部ユニット１４において扉１８が開かれると、操作者はこの下部ユニット１４の内部から紙幣が収納されている紙幣収納カセット４０を取り出してこの紙幣収納カセット４０ごと紙幣を回収したり空の紙幣収納カセット４０を下部ユニット１４の内部に装着したりすることができるようになる。このように、下部ユニット１４は、当該下部ユニット１４の前面から内部にアクセス可能となっている。また、下部ユニット１４は、所定の権限を有する者のみが当該下部ユニット１４の内部にアクセスすることができる金庫から構成されている。
【００３９】  また、本実施の形態の紙幣処理装置１０には、当該紙幣処理装置１０の各構成部材の制御を行う制御部５０が設けられている。より詳細には、図４に示すように、制御部５０には、受入部２０に設けられた紙幣繰出機構２２、搬送部２４、識別部２６、分岐部２８、投出部３０の奥側に設けられた羽根車３２を駆動するための羽根車駆動部３４がそれぞれ通信可能に接続されている。そして、識別部２６による紙幣の識別結果に係る信号が制御部５０に送られるとともに、制御部５０は紙幣処理装置１０の各構成部材に指令信号を送ることによりこれらの構成部材の動作を制御するようになっている。
【００４０】  また、図４に示すように、制御部５０には操作表示部５２、記憶部５４、印字部５６および通信インターフェース部５８がそれぞれ通信可能に接続されている。操作表示部５２は例えば上部ユニット１２の前面や上面に設けられたタッチパネル等からなり、紙幣処理装置１０における紙幣の入金処理等の処理状況や、各紙幣収納カセット４０に収納されている紙幣の在高等に関する情報が操作表示部５２に表示されるようになっている。また、操作者は操作表示部５２を操作することにより制御部５０に対して様々な指令を与えることができるようになっている。また、操作表示部５２は、紙幣処理装置１０の前面および後面のいずれからも操作することができるよう移動可能または回動可能な構造となっていてもよい。さらに、操作表示部５２は紙幣処理装置１０の前面および後面にそれぞれ一つずつ設けられていてもよい。
【００４１】  記憶部５４には、紙幣処理装置１０における紙幣の入金処理等の処理履歴や、各紙幣収納カセット４０に収納されている紙幣の在高等に関する情報が記憶されるようになっている。また、印字部５６は、紙幣処理装置１０における紙幣の入金処理等の処理履歴や、各紙幣収納カセット４０に収納されている紙幣の在高等に関する情報をレシート等に印字するようになっている。また、制御部５０は通信インターフェース部５８を介して本実施の形態による紙幣処理装置１０とは別に設けられた外部装置（具体的には、例えば上位端末）に対して信号の送受信を行うことができるようになっている。
【００４２】  次に、このような構成からなる紙幣処理装置１０の動作について説明する。なお、以下に示すような紙幣処理装置１０の動作は、制御部５０が紙幣処理装置１０の各構成部材を制御することにより行われるようになっている。
【００４３】  紙幣処理装置１０において紙幣の入金処理を行う際の動作について以下に説明する。操作者が受入部２０に紙幣を積層状態で載置した後、操作表示部５２により入金処理開始の指令を制御部５０に与えると、受入部２０に載置された紙幣は紙幣繰出機構２２により１枚ずつ上部ユニット１２の内部に繰り出され、搬送部２４により１枚ずつ搬送されるようになる。そして、搬送部２４により搬送される紙幣は識別部２６によりその金種、真偽、表裏、正損、新旧、搬送状態等が識別される。識別部２６により正常な紙幣ではないと識別された紙幣、すなわちリジェクト紙幣は搬送部２４により投出部３０に送られ、当該投出部３０に集積される。このことにより、操作者は投出部３０に集積されたリジェクト紙幣を上部ユニット１２の前面から手動で取り出し、受入部２０に再び載置することができるようになる。一方、識別部２６により正常な紙幣であると識別された紙幣は搬送部２４から分岐部２８により分岐させられ、各連絡部２９、４２を介して各紙幣収納カセット４０に金種毎に送られ、当該紙幣収納カセット４０に収納される。
【００４４】  また、本実施の形態では、下部ユニット１４を前後に反転させることができるようになっている。図２は、図１に示す紙幣処理装置１０の状態から下部ユニット１４が前後に反転させられたときの構成を示す図である。図２に示すように、下部ユニット１４が反転させられると、上部ユニット１２における受入部２０や投出部３０と、下部ユニット１４における取っ手１６や扉１８とが互いに反対側を向くようになる。このように、本実施の形態では、１つの紙幣処理装置１０により、上部ユニット１２における受入部２０や投出部３０が設けられた側と同じ側から下部ユニット１４の扉１８の開閉を行うような前面運用タイプ、および上部ユニット１２における受入部２０や投出部３０が設けられた側と反対側から下部ユニット１４の扉１８の開閉を行うような後面運用タイプの何れにも用いることができるようになる。
【００４５】  また、本実施の形態では、下部ユニット１４が図１に示す状態から前後に反転させられたときに、上部ユニット１２の連絡部２９および下部ユニット１４の連絡部４２の位置が一致するようになっている。このような技術的事項の詳細について図３を用いて説明する。なお、図３（ａ）は、図１に示す紙幣処理装置１０において上部ユニット１２の底部に設けられた各連絡部２９を当該上部ユニット１２の上方から下側に向かって見たときの構成を示す図であり、図３（ｂ）は、図１に示す紙幣処理装置１０において下部ユニット１４の頂部に設けられた各連絡部４２を当該下部ユニット１４の上方から下側に向かって見たときの構成を示す図である。また、図３（ｃ）は、図１に示す紙幣処理装置１０の状態から下部ユニット１４が前後に反転させられたときにおける（すなわち、図２に示す紙幣処理装置１０の状態における）下部ユニット１４の頂部に設けられた各連絡部４２を当該下部ユニット１４の上方から下側に向かって見たときの構成を示す図である。
【００４６】  本実施の形態では、上部ユニット１２の底部に設けられた連絡部２９の数および下部ユニット１４の頂部に設けられた連絡部４２の数は同一となっている。そして、図３（ａ）および図３（ｂ）において二点鎖線で示すように、紙幣処理装置１０の前後方向（すなわち、図３における左右方向）の各連絡部２９の位置および各連絡部４２の位置は同一となっている。また、紙幣処理装置１０の幅方向（すなわち、図３における上下方向）の各連絡部２９の位置および各連絡部４２の位置も同一となっている。このことにより、上部ユニット１２において搬送部２４から分岐部２８により分岐させられた紙幣は、各連絡部２９、４２で引っ掛かることなくスムーズに各紙幣収納カセット４０に送られるようになる。
【００４７】  また、本実施の形態では、下部ユニット１４が前後に反転させられたときに、当該下部ユニット１４の全ての連絡部４２の位置が上部ユニット１２の各連絡部２９の位置に一致するようになっている。より詳細には、上部ユニット１２の各連絡部２９は、当該上部ユニット１２の前後方向（すなわち、図３における左右方向）における略中央位置に対して対称となるよう配置されており、また、下部ユニット１４の各連絡部４２も、当該下部ユニット１４の前後方向における略中央位置に対して対称となるよう配置されている。また、上部ユニット１２の各連絡部２９は、当該上部ユニット１２の幅方向（すなわち、図３における上下方向）における略中央位置に対して対称となるよう配置されており、また、下部ユニット１４の各連絡部２９も、当該下部ユニット１４の幅方向における略中央位置に対して対称となるよう配置されている。このことにより、図１に示す紙幣処理装置１０の状態から下部ユニット１４が前後に反転させられた場合でも、図３（ａ）および図３（ｃ）において二点鎖線で示すように、紙幣処理装置１０の前後方向（すなわち、図３における左右方向）の各連絡部２９の位置および各連絡部４２の位置は同一となり、また、紙幣処理装置１０の幅方向（すなわち、図３における上下方向）の各連絡部２９の位置および各連絡部４２の位置も同一となる。このため、図１に示す紙幣処理装置１０の状態から下部ユニット１４が前後に反転させられた場合でも、上部ユニット１２において搬送部２４から分岐部２８により分岐させられた紙幣は、各連絡部２９、４２で引っ掛かることなくスムーズに各紙幣収納カセット４０に送られるようになる。
【００４８】  なお、上記の各連絡部２９の位置について、上部ユニット１２の前後方向や幅方向における中央位置から厳密に対称となるよう配置されることに限定されることはなく、上部ユニット１２の前後方向や幅方向における中央位置から対称となる位置から各連絡部２９が多少ずれていてもよい。同様に、上記の各連絡部４２の位置について、下部ユニット１４の前後方向や幅方向における中央位置から厳密に対称となるよう配置されることに限定されることはなく、下部ユニット１４の前後方向や幅方向における中央位置から対称となる位置から各連絡部４２が多少ずれていてもよい。
【００４９】  また、本実施の形態では、下部ユニット１４において連絡部４２および紙幣収納カセット４０は１対１で対応するよう設けられており、上部ユニット１２の連絡部２９から下部ユニット１４の連絡部４２に受け渡された紙幣は当該連絡部４２から自重により紙幣収納カセット４０に直接的に収納されるようになっている。すなわち、上部ユニット１２の連絡部２９から下部ユニット１４の連絡部４２に受け渡された紙幣は、搬送される紙幣を分岐する分岐部や搬送される紙幣の表裏を反転させる表裏反転部を経由しないで下部ユニット１４の紙幣収納カセット４０に直接的に収納されるようになっている。また、複数（図１に示す例では２つ）の紙幣収納カセット４０は全て同一の構成となっている。このことにより、本実施の形態では、下部ユニット１４が前後に反転させられた場合でも、制御部５０による搬送部２４や分岐部２８の動作に係る制御内容を変えることなく、受入部２０により上部ユニット１２の内部に投入された紙幣について識別部２６により識別した後に各紙幣収納カセット４０に収納させることができるようになる。また、この場合には、下部ユニット１４において各紙幣収納カセット４０に紙幣が収納される際にジャム等のエラーが発生することを防止することができる。
【００５０】  また、本実施の形態では、紙幣処理装置の下部ユニットに装着される紙幣収納カセット４０の数は２つに限定されることはない。図５や図６に示すように、３つの紙幣収納カセット４０が下部ユニット１４の内部に水平方向に沿って並ぶよう装着される紙幣処理装置１０ａが用いられてもよい。また、更に他の例として、４つ以上の紙幣収納カセット４０が下部ユニット１４の内部に水平方向に沿って１列または複数列に並ぶよう装着される紙幣処理装置が用いられてもよい。なお、図５や図６に示す紙幣処理装置１０ａを説明するにあたり、図１乃至図４に示す紙幣処理装置１０と同じ構成部材については同じ参照符号を付し、その説明を省略する。
【００５１】  図５に示すような、３つの紙幣収納カセット４０が下部ユニット１４の内部に水平方向に沿って１列に並ぶよう装着される紙幣処理装置１０ａでも、下部ユニット１４を前後に反転させることができるようになっている。図６は、図５に示す紙幣処理装置１０ａの状態から下部ユニット１４が前後に反転させられたときの構成を示す図である。図６に示すように、下部ユニット１４が反転させられると、上部ユニット１２における受入部２０や投出部３０と、下部ユニット１４における取っ手１６や扉１８とが互いに反対側を向くようになる。このように、図５および図６に示す紙幣処理装置１０ａでも、１つの紙幣処理装置１０ａにより、上部ユニット１２における受入部２０や投出部３０が設けられた側と同じ側から下部ユニット１４の扉１８の開閉を行うような前面運用タイプ、および上部ユニット１２における受入部２０や投出部３０が設けられた側と反対側から下部ユニット１４の扉１８の開閉を行うような後面運用タイプの何れにも用いることができるようになる。
【００５２】  また、図５および図６に示す紙幣処理装置１０ａでは、下部ユニット１４が図５に示す状態から前後に反転させられたときに、上部ユニット１２の連絡部２９および下部ユニット１４の連絡部４２の位置が一致するようになっている。具体的には、図５および図６に示す紙幣処理装置１０ａでは、上部ユニット１２の底部に設けられた連絡部２９の数および下部ユニット１４の頂部に設けられた連絡部４２の数は同一となっている。そして、紙幣処理装置１０ａの前後方向（すなわち、図５や図６における左右方向）の各連絡部２９の位置および各連絡部４２の位置は同一となっている。また、紙幣処理装置１０ａの幅方向（すなわち、図５や図６の紙面に直交する方向）の各連絡部２９の位置および各連絡部４２の位置も同一となっている。このことにより、上部ユニット１２において搬送部２４から分岐部２８により分岐させられた紙幣は、各連絡部２９、４２で引っ掛かることなくスムーズに各紙幣収納カセット４０に送られるようになる。
【００５３】  また、図５および図６に示す紙幣処理装置１０ａでは、下部ユニット１４が前後に反転させられたときに、当該下部ユニット１４の全ての連絡部４２の位置が上部ユニット１２の各連絡部２９の位置に一致するようになっている。より詳細には、上部ユニット１２の各連絡部２９は、当該上部ユニット１２の前後方向（すなわち、図５や図６における左右方向）における略中央位置に対して対称となるよう配置されており、また、下部ユニット１４の各連絡部４２も、当該下部ユニット１４の前後方向における略中央位置に対して対称となるよう配置されている。また、上部ユニット１２の各連絡部２９は、当該上部ユニット１２の幅方向（すなわち、図５や図６の紙面に直交する方向）における略中央位置に対して対称となるよう配置されており、また、下部ユニット１４の各連絡部４２も、当該下部ユニット１４の幅方向における略中央位置に対して対称となるよう配置されている。このことにより、図５に示す紙幣処理装置１０ａの状態から下部ユニット１４が前後に反転させられた場合でも、紙幣処理装置１０ａの前後方向の各連絡部２９の位置および各連絡部４２の位置は同一となり、また、紙幣処理装置１０ａの幅方向の各連絡部２９の位置および各連絡部４２の位置も同一となる。このため、図５に示す紙幣処理装置１０ａの状態から下部ユニット１４が前後に反転させられた場合でも、上部ユニット１２において搬送部２４から分岐部２８により分岐させられた紙幣は、各連絡部２９、４２で引っ掛かることなくスムーズに各紙幣収納カセット４０に送られるようになる。
【００５４】  以上のような構成からなる本実施の形態の紙幣処理装置１０、１０ａによれば、上部ユニット１２の底部および下部ユニット１４の頂部に、上部ユニット１２および下部ユニット１４の間で紙幣の受け渡しを行うための連絡部２９、４２がそれぞれ設けられており、上部ユニット１２の連絡部２９および下部ユニット１４の連絡部４２の数は同一であり、下部ユニット１４が前後に反転させられたときに上部ユニット１２の各連絡部２９および下部ユニット１４の各連絡部４２の位置が一致するようになっている。このような紙幣処理装置１０、１０ａでは、上部ユニット１２や下部ユニット１４において無駄となる搬送路が発生することなく、１つの装置で前面運用タイプおよび後面運用タイプの何れにも用いることができる。
【００５５】  また、本実施の形態の紙幣処理装置１０、１０ａにおいては、上述したように、下部ユニット１４は、当該下部ユニット１４の前後いずれか一方から内部にアクセス可能となっており、下部ユニット１４が前後に反転させられたときに当該下部ユニット１４の内部にアクセス可能な方向が逆になるようになっている。なお、本実施の形態はこのような態様に限定されることはなく、変形例に係る紙幣処理装置において、下部ユニット１４は、当該下部ユニット１４の左右いずれか一方から内部にアクセス可能となっており（すなわち、下部ユニット１４の側方の面に扉１８が設けられており）、この下部ユニット１４が左右に反転可能となっていてもよい。言い換えると、上部ユニット１２における受入部２０や投出部３０が設けられた面と、下部ユニット１４における扉１８が設けられた面とが当該紙幣処理装置１０、１０ａの隅部を隔てて９０°の角度をなすよう隣り合うようになっていてもよい。この場合には、下部ユニット１４が左右に反転させられたときに、下部ユニット１４の内部にアクセス可能な方向が逆になるようになっている。
【００５６】  また、本実施の形態の紙幣処理装置１０、１０ａにおいては、上述したように、上部ユニット１２の連絡部２９の数および下部ユニット１４の連絡部４２の数はそれぞれ複数であり、下部ユニット１４が反転させられたときに当該下部ユニット１４の全ての連絡部４２の位置が上部ユニット１２の各連絡部２９の位置にそれぞれ一致するようになっている。この場合、上部ユニット１２の各連絡部２９は、当該上部ユニット１２の前後方向（すなわち、図３における左右方向）における略中央位置に対して対称となるよう配置されており、また、当該上部ユニット１２の幅方向（すなわち、図３における上下方向）における略中央位置に対しても対称となるよう配置されている。また、下部ユニット１４の各連絡部４２は、当該下部ユニット１４の前後方向（すなわち、図３における左右方向）における略中央位置に対して対称となるよう配置されており、また、当該下部ユニット１４の幅方向（すなわち、図３における上下方向）における略中央位置に対しても対称となるよう配置されている。
【００５７】  また、本実施の形態の紙幣処理装置１０、１０ａにおいては、上述したように、上部ユニット１２の連絡部２９から下部ユニット１４の連絡部４２に受け渡された紙幣は、分岐されることなく当該下部ユニット１４に装着された各紙幣収納カセット４０に収納されるようになっている。また、本実施の形態では、複数の紙幣収納カセット４０は全て同一の構成となっている。さらに、紙幣収納カセット４０は偶数個（図１乃至図４に示す紙幣処理装置１０参照）であってもよいし奇数個（図５および図６に示す紙幣処理装置１０ａ参照）であってもよい。この場合には、下部ユニット１４が前後に反転させられた場合でも、制御部５０による搬送部２４や分岐部２８の動作に係る制御内容を変えることなく、受入部２０により上部ユニット１２の内部に投入された紙幣について識別部２６により識別した後に各紙幣収納カセット４０に収納させることができるようになる。また、この場合には、下部ユニット１４において各紙幣収納カセット４０に紙幣が収納される際にジャム等のエラーが発生することを防止することができる。また、本実施の形態では、紙幣収納カセット４０としての収納部の数と連絡部２９、４２の数は同一となっている。なお、本実施の形態では、複数の紙幣収納カセット４０は全て同一の構成となっていることに限定されることはなく、各紙幣収納カセット４０の構成が互いに異なるようになっていてもよい。さらに、紙幣を収納するための収納部として、紙幣収納カセット４０の代わりに紙幣収納袋が用いられてもよい。
【００５８】  また、本実施の形態の紙幣処理装置１０、１０ａにおいては、上述したように、下部ユニット１４において、紙幣収納カセット４０は水平方向に沿って少なくとも１以上の列で並ぶよう複数設けられている。また、下部ユニット１４は、所定の権限を有する者のみが当該下部ユニット１４の内部にアクセスすることができる金庫から構成されており、連絡部４２はこの金庫に設けられた開口部分となっている。
【００５９】  また、本実施の形態の紙幣処理装置１０、１０ａにおいては、上述したように、上部ユニット１２において受入部２０から当該上部ユニット１２の内部に受け入れた紙幣のうち下部ユニット１４の各紙幣収納カセット４０に収納されるべき紙幣（すなわち、識別部２６により正常な紙幣であると識別された紙幣）は上部ユニット１２の連絡部２９から下部ユニット１４の連絡部４２に受け渡され、返却されるべき紙幣は投出部３０に送られることにより当該投出部３０から上部ユニット１２の外部に取り出し可能となっている。
【００６０】  なお、本実施の形態による紙幣処理装置１０、１０ａは、上述したような態様に限定されることはなく、様々な変更を加えることができる。
【００６１】  上記の説明では、図１乃至図４に示す紙幣処理装置１０や図５および図６に示す紙幣処理装置１０ａにおいて下部ユニット１４が前後に反転する態様について述べたが、このような態様に限定される必要はない。図１乃至図４に示す紙幣処理装置１０や図５および図６に示す紙幣処理装置１０ａにおいて下部ユニット１４ではなく上部ユニット１２が前後に反転可能となっていてもよい。この場合でも、本実施の形態では、上部ユニット１２が前後に反転させられたときに当該上部ユニット１２の各連絡部２９および下部ユニット１４の各連絡部４２の位置が一致するようになっている。ここで、上部ユニット１２または下部ユニット１４を前後に反転させる際に、上部ユニット１２または下部ユニット１４の前後方向の長さにおける中心を軸としてもよいし、あるいは一番前にある連絡部２９、４２の位置と一番後ろにある連絡部２９、４２の位置との間の中心を軸としてもよい。このように、上部ユニット１２または下部ユニット１４を前後に反転させたときに連絡部２９、４２が一致するような軸であればどこでもよい。
【００６２】  また、図１乃至図４に示す紙幣処理装置１０や図５および図６に示す紙幣処理装置１０ａにおいて上部ユニット１２が左右に反転可能となっていてもよい。この場合でも、本実施の形態では、上部ユニット１２が左右に反転させられたときに当該上部ユニット１２の各連絡部２９および下部ユニット１４の各連絡部４２の位置が一致するようになっている。ここで、上部ユニット１２または下部ユニット１４を左右に反転させる際に、上部ユニット１２または下部ユニット１４の左右方向の長さにおける中心を軸としてもよいし、あるいは一番右側にある連絡部２９、４２の位置と一番左側にある連絡部２９、４２の位置との間の中心を軸としてもよい。このように、上部ユニット１２または下部ユニット１４を左右に反転させたときに連絡部２９、４２が一致するような軸であればどこでもよい。
【００６３】  また、上部ユニット１２の底部に設けられる連絡部および下部ユニット１４の頂部に設けられる連絡部の数はそれぞれ複数である必要はなく、上部ユニット１２の底部および下部ユニット１４の頂部にそれぞれ１つの連絡部が設けられるようになっていてもよい。この場合には、下部ユニット１４の内部には１つの紙幣収納カセット４０が装着されるようになる。このような構成の紙幣処理装置１０、１０ａでも、本実施の形態では、上部ユニット１２または下部ユニット１４は反転可能となっているとともに、上部ユニット１２または下部ユニット１４が反転させられたときに上部ユニット１２の連絡部の位置および下部ユニット１４の連絡部の位置が一致するようになっている。
【００６４】  また、本実施の形態では、下部ユニットとして図７および図８に示すような構成の下部ユニット１４ａが用いられてもよい。図７は、変形例に係る紙幣処理装置における下部ユニット１４ａの構成を示す斜視図であり、図８は、図７に示す下部ユニット１４ａを上下に反転させたときの構成を示す斜視図である。また、図７および図８に示す下部ユニット１４ａの構成を説明するにあたり、図１乃至図４に示す紙幣処理装置１０や図５および図６に示す紙幣処理装置１０ａの下部ユニット１４と同じ構成部材については同じ参照符号を付してその説明を省略する。
【００６５】  図７等に示す下部ユニット１４ａを備えた変形例に係る紙幣処理装置では、当該下部ユニット１４ａを上下に反転させることができるようになっている。具体的には、図７に示すように、下部ユニット１４ａの頂部には、当該下部ユニット１４ａに装着されるべき複数の紙幣収納カセット４０の各々に対応するよう複数（具体的には、２つ）の連絡部４２がそれぞれ設けられており、また、下部ユニット１４ａの底部にも、当該下部ユニット１４ａに装着されるべき複数の紙幣収納カセット４０の各々に対応するよう複数（具体的には、２つ）の連絡部４３がそれぞれ設けられている。そして、図７に示す下部ユニット１４ａの状態から当該下部ユニット１４ａが上下に反転させられて図８に示す状態になった場合でも、下部ユニット１４ａにおける上部ユニット１２に向き合う位置にある各連絡部４３および上部ユニット１２の各連絡部２９の位置が一致するようになっている。
【００６６】  より詳細には、図７等に示す下部ユニット１４ａを備えた変形例に係る紙幣処理装置では、下部ユニット１４ａの底部に設けられた各連絡部４３は、当該下部ユニット１４ａの前後方向（すなわち、図７における奥行き方向）における略中央位置に対して対称となるよう配置されており、また、当該下部ユニット１４ａの幅方向（すなわち、図７における左右方向）における略中央位置に対しても対称となるよう配置されている。また、上述したように、上部ユニット１２の各連絡部２９は、当該上部ユニット１２の前後方向における略中央位置に対して対称となるよう配置されており、また、当該上部ユニット１２の幅方向における略中央位置に対しても対称となるよう配置されている。このため、下部ユニット１４ａが上下に反転させられたときに当該下部ユニット１４ａの全ての連絡部４３の位置が上部ユニット１２の各連絡部２９の位置にそれぞれ一致するようになる。
【００６７】  また、図７等に示す下部ユニット１４ａでは、横開きの扉１８がその前面または後面（図７に示す例では前面）に設けられているが、当該下部ユニット１４ａが上下に反転させられたときに、図８に示すように下部ユニット１４ａにおける扉１８の開く向きが逆になるようになっている。具体的には、図７に示す状態の下部ユニット１４ａでは扉１８は左向きに開く一方、図８に示す状態の下部ユニット１４ａでは扉１８は右向きに開くようになる。また、図７等に示す下部ユニット１４ａにおいて、扉１８に取り付けられる取っ手１６の向きを上下に反転させることができるようになっていてもよい。この場合には、下部ユニット１４ａを上下に反転させた後、取っ手１６の向きを変えることにより、下部ユニット１４ａが上下に反転させられた場合でも取っ手１６の操作性を下部ユニット１４ａが上下に反転させられない場合と同じとすることができる。
【００６８】  以上で述べたように、図７等に示す下部ユニット１４ａを備えた変形例に係る紙幣処理装置によれば、下部ユニット１４ａが上下に反転させられたときに当該下部ユニット１４ａにおける上部ユニット１２に向き合う位置にある連絡部４３および上部ユニット１２の連絡部２９の位置が一致するようになっているため、下部ユニット１４ａの前面または後面に横開きの扉１８が設けられている場合において、当該下部ユニット１４ａを上下に反転させることにより１つの装置で当該扉１８が左に開くようなタイプおよび右に開くようなタイプの何れにも用いることができる。
【００６９】  また、図７に示す下部ユニット１４ａでは、扉１８の一方の側縁はヒンジ１８ａが設けられている。また、下部ユニット１４ａの前面の開口の両側にそれぞれ棒状部材１８ｂが上下方向に延びるよう設けられており、ヒンジ１８ａが一対の棒状部材１８ｂのうち何れか一方の棒状部材１８ｂに着脱自在に取り付けられるようになっており、扉１８は、棒状部材１８ｂに取り付けられたヒンジ１８ａを中心として下部ユニット１４ａの前面の開口から手前側に回転してこの開口を開くようになっている。なお、図７では、ヒンジ１８ａは、一対の棒状部材１８ｂのうち左側の棒状部材１８ｂ（図７ではヒンジ１８ａにより隠れるため図示せず）に取り付けられており、扉１８はこのヒンジ１８ａを中心として下部ユニット１４ａの前面の開口から手前側に回転するようになっている。
【００７０】  このような構成の下部ユニット１４ａでは、扉１８に設けられたヒンジ１８ａが取り付けられる棒状部材１８ｂを変えることにより、扉１８を右開きおよび左開きのどちらの態様にも適用させることができる。すなわち、下部ユニット１４ａを図７に示す状態から上下に反転させることにより図８に示すような状態となった場合でも、図８における右側の棒状部材１８ｂからヒンジ１８ａを取り外して左側の棒状部材１８ｂに当該ヒンジ１８ａを取り付けることにより、下部ユニット１４ａを上下に反転させても扉１８を左開きのままとすることができるようになる。また、この場合には取っ手１６を上下に反転させる必要がなくなる。
【００７１】  また、更に別の構成の紙幣処理装置として、図９および図１０に示すような紙幣処理装置１０ｐが用いられてもよい。ここで、図９（ａ）は、前面運用タイプとして用いられる際における前面側から見たときの紙幣処理装置１０ｐの制御系の配線を示す図であり、図９（ｂ）は、後面運用タイプとして用いられる際における前面側から見たときの紙幣処理装置１０ｐの制御系の配線を示す図である。また、図１０は、紙幣処理装置１０ｐにおける制御系の構成を示す機能ブロック図である。
【００７２】  図９および図１０に示すような紙幣処理装置１０ｐでは、上部ユニット１２ｐおよび下部ユニット１４ｐの内部に上部ユニット制御部６０および下部ユニット制御部６２がそれぞれ設けられている点で図１乃至図６に示すような紙幣処理装置１０、１０ａと異なっているが、その他の構成については図１乃至図６に示すような紙幣処理装置１０、１０ａと略同一となっている。ここで、図９および図１０に示す紙幣処理装置１０ｐを説明するにあたり、図１乃至図６に示す紙幣処理装置１０、１０ａと同じ構成部材については同じ参照符合を付してその説明を省略する。
【００７３】  図９および図１０に示す紙幣処理装置１０ｐにおいて、当該紙幣処理装置１０ｐを正面側から見たときの上部ユニット１２ｐの内部における左側下部に接続コネクタ６４（上部ユニット接続手段）が設けられており、上部ユニット制御部６０および接続コネクタ６４は配線７４により接続されている。なお、接続コネクタ６４は、上部ユニット制御部６０に含まれるように構成されていてもよい。また、紙幣処理装置１０ｐが前面運用タイプとして用いられる際において当該紙幣処理装置１０ｐを前面側から見たときの下部ユニット１４ｐの内部における右側上部には中継コネクタ７０が設けられており、下部ユニット制御部６２および中継コネクタ７０は配線７８により接続されている。なお、中継コネクタ７０は、下部ユニット制御部６２に含まれるように構成されていてもよい。また、紙幣処理装置１０ｐが前面運用タイプとして用いられる際において当該紙幣処理装置１０ｐを前面側から見たときの下部ユニット１４ｐの内部における右側上部および左側上部には第１接続コネクタ６６および第２接続コネクタ６８（下部ユニット接続手段）がそれぞれ設けられている。また、中継コネクタ７０には、二股に分かれる配線７６が接続されており、この二股に分かれた配線７６の各先端部分にはそれぞれ第１接続コネクタ６６および第２接続コネクタ６８が接続されている。
【００７４】  紙幣処理装置１０ｐを前面運用タイプとして用いる場合には、図９（ａ）に示すように、上部ユニット１２ｐに設けられた接続コネクタ６４および下部ユニット１４ｐに設けられた左側上部の第１接続コネクタ６６を配線７２により接続させる。一方、紙幣処理装置１０ｐを後面運用タイプとして用いる場合には、図９（ａ）に示す状態から下部ユニット１４ｐが左右に反転させられるようになるため、図９（ｂ）に示すように、上部ユニット１２ｐに設けられた接続コネクタ６４および下部ユニット１４ｐに設けられた第２接続コネクタ６８を配線７２により接続させるようになる。このようにして、上部ユニット１２ｐに設けられた接続コネクタ６４が、下部ユニット１４ｐに設けられた第１接続コネクタ６６および第２接続コネクタ６８のうち一方の接続コネクタに接続されることにより、上部ユニット制御部６０および下部ユニット制御部６２の間で信号の送受信を行うことができるようになる。また、電源供給配線についても、上述した制御配線と同様の経路で配線が配置されている。
【００７５】  また、上部ユニット制御部６０および下部ユニット制御部６２のうちいずれか一方には、上部ユニット１２ｐに設けられた接続コネクタ６４が、下部ユニット１４ｐに設けられた第１接続コネクタ６６および第２接続コネクタ６８のうちどちらの接続コネクタに接続されたかを検知する第１検知手段８０、および第１検知手段８０による検知結果に基づいて上部ユニット１２ｐに対する下部ユニット１４ｐの向きを判断する第１判断手段８２がそれぞれ接続されている。なお、図１０に示す例では、第１検知手段８０および第１判断手段８２がそれぞれ上部ユニット制御部６０に接続されているが、第１検知手段８０および第１判断手段８２のうちいずれか一方あるいは両方が下部ユニット制御部６２に接続されていてもよい。ここで、上部ユニット１２ｐに設けられた接続コネクタ６４が下部ユニット１４ｐに設けられた第１接続コネクタ６６に接続されていることが第１検知手段８０により検知された場合には、第１判断手段８２は、上部ユニット１２ｐにおける受入部２０や投出部３０が設けられた側と同じ側から下部ユニット１４ｐの扉１８の開閉を行うような前面運用タイプであると判断する。一方、上部ユニット１２ｐに設けられた接続コネクタ６４が下部ユニット１４ｐに設けられた第２接続コネクタ６８に接続されていることが第１検知手段８０により検知された場合には、第１判断手段８２は、上部ユニット１２ｐにおける受入部２０や投出部３０が設けられた側と反対側から下部ユニット１４ｐの扉１８の開閉を行うような後面運用タイプであると判断する。このように、図９および図１０に示す紙幣処理装置１０ｐでは、下部ユニット１４ｐに設けられた第１接続コネクタ６６および第２接続コネクタ６８のうちどちらの接続コネクタが用いられているかに基づいて、上部ユニット１２ｐに対する下部ユニット１４ｐの向きを自動で検知することができるようになる。このような紙幣処理装置１０ｐによれば、操作者が手動で例えば操作表示部５２により上部ユニット１２ｐに対する下部ユニット１４ｐの向きを設定する手間を省くことができるようになり、また、操作者による下部ユニット１４ｐの向きの設定ミスを防止することができるようになる。
【００７６】  また、図９および図１０に示す紙幣処理装置１０ｐでは、第１判断手段８２による判断結果に基づいて、操作表示部５２における表示内容が切り替えられるようになっていてもよい。すなわち、第１判断手段８２より前面運用タイプであると判断された場合と、第１判断手段８２より後面運用タイプであると判断された場合とで、操作表示部５２における表示内容を互いに異なるものとしてもよい。切り替える表示内容としては、例えば、収納カセット４０のカセット番号のナンバリング構成であったり、エラー解除画面といった操作誘導画面の表示内容を切り替えてもよい。さらに、切り替えるのは表示内容だけでなく、紙幣処理装置１０ｐの動作制御を切り替えてもよい。例えば、搬送部２４における紙幣の搬送先の制御を切り替えてもよい。
【００７７】  また、更に別の構成の紙幣処理装置として、図１１および図１２に示すような紙幣処理装置１０ｑが用いられてもよい。ここで、図１１（ａ）は、前面運用タイプとして用いられる際における前面側から見たときの紙幣処理装置１０ｑの制御系の配線を示す図であり、図１１（ｂ）は、後面運用タイプとして用いられる際における前面側から見たときの紙幣処理装置１０ｑの制御系の配線を示す図である。また、図１２は、紙幣処理装置１０ｑにおける制御系の構成を示す機能ブロック図である。
【００７８】  図１１および図１２に示すような紙幣処理装置１０ｑでは、上部ユニット１２ｑおよび下部ユニット１４ｑの内部に上部ユニット制御部６０および下部ユニット制御部６２がそれぞれ設けられている点で図１乃至図６に示すような紙幣処理装置１０、１０ａと異なっているが、その他の構成については図１乃至図６に示すような紙幣処理装置１０、１０ａと略同一となっている。ここで、図１１および図１２に示す紙幣処理装置１０ｑを説明するにあたり、図１乃至図６に示す紙幣処理装置１０、１０ａと同じ構成部材については同じ参照符合を付してその説明を省略する。
【００７９】  図１１および図１２に示す紙幣処理装置１０ｑにおいて、当該紙幣処理装置１０ｑを正面側から見たときの上部ユニット１２ｑの内部における左側下部に接続コネクタ６４（上部ユニット接続手段）が設けられており、上部ユニット制御部６０および接続コネクタ６４は配線７４により接続されている。また、紙幣処理装置１０ｑが前面運用タイプとして用いられる際において当該紙幣処理装置１０ｑを前面側から見たときの下部ユニット１４ｑの内部における右側上部および左側上部には第１接続コネクタ６６および第２接続コネクタ６８（下部ユニット接続手段）がそれぞれ設けられている。また、第２接続コネクタ６８および下部ユニット制御部６２は配線７８により接続されている。
【００８０】  紙幣処理装置１０ｑを前面運用タイプとして用いる場合には、図１１（ａ）に示すように、第１接続コネクタ６６および第２接続コネクタ６８を中継ハーネス７９（接続補助手段）により接続させる。また、上部ユニット１２ｑに設けられた接続コネクタ６４および下部ユニット１４ｑに設けられた左側上部の第１接続コネクタ６６を配線７２により接続させる。一方、紙幣処理装置１０ｑを後面運用タイプとして用いる場合には、下部ユニット１４ｑが左右に反転させられるようになるため、図１１（ｂ）に示すように、第１接続コネクタ６６および第２接続コネクタ６８を中継ハーネス７９により接続させずに、上部ユニット１２ｑに設けられた接続コネクタ６４および第２接続コネクタ６８を配線７２により接続させるようになる。このようにして、上部ユニット１２ｑに設けられた接続コネクタ６４が、下部ユニット１４ｑに設けられた第１接続コネクタ６６および第２接続コネクタ６８のうち一方の接続コネクタに接続されることにより、上部ユニット制御部６０および下部ユニット制御部６２の間で信号の送受信を行うことができるようになる。また、電源供給配線についても、上述した制御配線と同様の経路で配線が配置されている。
【００８１】  また、上部ユニット制御部６０および下部ユニット制御部６２のうちいずれか一方には、上部ユニット制御部６０と下部ユニット制御部６２とを接続する際に上部ユニット１２ｑに設けられた接続コネクタ６４が下部ユニット１４ｑに設けられた第１接続コネクタ６６または第２接続コネクタ６８に直接接続されたかあるいは中継ハーネス７９を介して接続されたかを検知する第２検知手段９０、および第２検知手段９０による検知結果に基づいて上部ユニット１２ｑに対する下部ユニット１４ｑの向きを判断する第２判断手段９２がそれぞれ接続されている。具体的には、上部ユニット制御部６０と下部ユニット制御部６２とを接続する際に中継ハーネス７９が用いられていることが検知された場合には、第２判断手段９２は、上部ユニット１２ｑにおける受入部２０や投出部３０が設けられた側と同じ側から下部ユニット１４ｑの扉１８の開閉を行うような前面運用タイプであると判断する。一方、上部ユニット制御部６０と下部ユニット制御部６２とを接続する際に中継ハーネス７９が用いられていないことが検知された場合には、第２判断手段９２は、上部ユニット１２ｑにおける受入部２０や投出部３０が設けられた側と反対側から下部ユニット１４ｑの扉１８の開閉を行うような後面運用タイプであると判断する。このように、図１１および図１２に示す紙幣処理装置１０ｑでは、上部ユニット制御部６０と下部ユニット制御部６２とを接続する際に中継ハーネス７９が用いられているか否かに基づいて、上部ユニット１２ｑに対する下部ユニット１４ｑの向きを自動で検知することができるようになる。このような紙幣処理装置１０ｑによれば、操作者が手動で例えば操作表示部５２により上部ユニット１２ｑに対する下部ユニット１４ｑの向きを設定する手間を省くことができるようになり、また、操作者による下部ユニット１４ｑの向きの設定ミスを防止することができるようになる。
【００８２】  また、図１１および図１２に示す紙幣処理装置１０ｑでは、第２判断手段９２による判断結果に基づいて、操作表示部５２における表示内容が切り替えられるようになっていてもよい。すなわち、第２判断手段９２より前面運用タイプであると判断された場合と、第２判断手段９２より後面運用タイプであると判断された場合とで、操作表示部５２における表示内容を互いに異なるものとしてもよい。
【００８３】  また、更に別の構成の紙幣処理装置として、図１３に示すような紙幣処理装置１０ｒが用いられてもよい。ここで、図１３（ａ）は、前面運用タイプとして用いられる際の紙幣処理装置１０ｒの内部構成を示す図であり、図１３（ｂ）は、後面運用タイプとして用いられる際の紙幣処理装置１０ｒの内部構成を示す図である。
【００８４】  図１３に示すような紙幣処理装置１０ｒでは、下部ユニット１４を前後に反転させたときにこの下部ユニット１４の内部に収容されている紙幣収納カセット４０の向きが変わらない点で図１乃至図６に示すような紙幣処理装置１０、１０ａと異なっているが、その他の構成については図１乃至図６に示すような紙幣処理装置１０、１０ａと略同一となっている。ここで、図１３に示す紙幣処理装置１０ｒを説明するにあたり、図１乃至図６に示す紙幣処理装置１０、１０ａと同じ構成部材については同じ参照符合を付してその説明を省略する。
【００８５】  図１３（ａ）（ｂ）に示すように、更に別の変形例に係る紙幣処理装置１０ｒでは、下部ユニット１４を前後に反転させた場合でもこの下部ユニット１４の内部に収容されている紙幣収納カセット４０の向きが変わることのないよう、下部ユニット１４の連絡部４２の位置が設定されている。このことにより、紙幣処理装置１０ｒが前面運用タイプで用いられる場合でも後面運用タイプで用いられる場合でも紙幣収納カセット４０の向きは変わらないようになる。
【００８６】  また、本実施の形態による紙幣処理装置は、図１等に示すような紙幣の入金処理を行う紙幣入金機に限定されることはない。本実施の形態による紙幣処理装置として、紙幣の出金処理を行う紙幣出金機、金融機関等に設置されるテラーマシンやＡＴＭ（現金自動預け払い機）等が用いられてもよい。ここで、本実施の形態による紙幣処理装置として紙幣の出金処理を行う紙幣出金機が用いられる場合において、紙幣の出金処理が行われる際に正常な紙幣ではないと識別された紙幣が収納される出金リジェクト部が上部ユニットおよび下部ユニットのうちどちらに設けられていてもよい。
【００８７】  また、本発明による紙葉類処理装置は、上述した、紙幣の入金処理等の様々な処理を行う紙幣処理装置に限定されることはない。本発明による紙葉類処理装置として、紙幣以外の小切手、商品券等の有価媒体からなる紙葉類の処理を行うことができるものが用いられてもよい。
【００８８】  また、硬貨の処理を行う硬貨処理装置にも本発明の原理を適用することができる。すなわち、硬貨処理装置が、上下に並ぶよう設けられた上部ユニットおよび下部ユニットを備えており、上部ユニットの受入部に受け入れられた硬貨が当該上部ユニットから下部ユニットに受け渡されてこの下部ユニットに収納される場合において、上部ユニットの底部および下部ユニットの頂部に、上部ユニットおよび下部ユニットの間で硬貨の受け渡しを行うための連絡部がそれぞれ設けられており、これらの上部ユニットの連絡部および下部ユニットの連絡部の数が同一となっていてもよい。この場合に、上部ユニットまたは下部ユニットは前後または左右に反転可能となっているとともに、上部ユニットまたは下部ユニットが反転させられたときに上部ユニットの各連絡部および下部ユニットの各連絡部の位置が一致するようになっていてもよい。
【図１】
2016129299.tif 000003
【図２】
2016129299.tif 000004
【図３】
2016129299.tif 000005
【図４】
2016129299.tif 000006
【図５】
2016129299.tif 000007
【図６】
2016129299.tif 000008
【図７】
2016129299.tif 000009
【図８】
2016129299.tif 000010
【図９】
2016129299.tif 000011
【図１０】
2016129299.tif 000012
【図１１】
2016129299.tif 000013
【図１２】
2016129299.tif 000014
【図１３】
2016129299.tif 000015
【国際調査報告】
2016129299.tif 000016
2016129299.tif 000017
2016129299.tif 000018
2016129299.tif 000019